(57)【要約】      （修正有）【課題】携帯式手持電子機器の折畳可能な支座を提供する。【解決手段】この支座は、上表面に凹部２１が形成された台座２と、回転可能に前記台座に連結され且つ前記台座の上表面を覆う蓋材３と、上縁が回転可能に前記蓋材に連結され且つ下縁が摺動可能に前記凹部に実装される支持材４と、を備える。前記凹部は、前記蓋材が前記台座に閉合した時に前記支持材を収納するように形成する。【選択図】図１
0003166976.tif 000002
【実用新案登録請求の範囲】
【請求項１】
携帯式手持電子機器のための折畳可能な支座であって、
上表面に凹部が形成された台座と、
回転可能に前記台座に連結され且つ前記台座の上表面を覆う蓋材と、
上縁が回転可能に前記蓋材に連結され、下縁が摺動可能に前記凹部内に実装される支持材と、を備え、
前記凹部は、前記蓋材が前記台座に閉合時に前記支持材を収納するように形成されていることを特徴とする折畳可能な支座。
【請求項２】
突出部は前記支持材の下縁の両側から外方に延び、溝が前記台座において前記凹部に沿って前記凹部の下部に形成され、両突出部の先端間の総距離は、前記凹部の幅より少し長くされるように形成され、前記突出部は前記溝に嵌合されることを特徴とする請求項１に記載の折畳可能な支座。 
【請求項３】
立設部が前記台座の前端縁に上方に立上がるように形成されることを特徴とする請求項１または２に記載の折畳可能な支座。
【請求項４】
ボスが前記支持材の前記蓋材に対向する表面に形成され、このボスに対応した孔が前記蓋材に形成され、前記支座が畳んだ状態で前記ボスが前記孔に受けられるように、前記ボスのサイズが前記孔のサイズより少し大きくされていることを特徴とする請求項１または２に記載の折畳可能な支座。
【請求項５】
ボスが前記支持材の前記蓋材に対向する表面に形成され、このボスに対応した孔が前記蓋材に形成され、前記支座が畳んだ状態で前記ボスが前記孔に受けられるように、前記ボスのサイズが前記孔のサイズより少し大きくされることを特徴とする請求項３に記載の折畳可能な支座。
【考案の詳細な説明】
【技術分野】
【０００１】
本考案は、全体的に、携帯式手持電子機器を支持する支座に関し、特に使用されない状態において折畳可能な支座に関するものである。
【背景技術】
【０００２】
使用が便利なため、アップル社のｉＰｈｏｎｅ（登録商標）、携帯情報端末（ＰＤＡ）、デジタル媒体再生機、デジタル録音機器、携帯式テレビ、手持コンピュータなどの携帯式手持電子機器は、現在の生活において益々普及していく。
【０００３】
使用者は、普段、一方の手で電子機器を持ながら、他方の手でそれを操作する。しかしながら、操作完了後に、使用者は、電子機器が自動的に作動するようにそれを何処かに置いていくことが多い。例えば、デジタル媒体再生機への操作が完了後に、使用者は、通常、それが自動的に歌曲を放送するようにそれをある場所に置く。しかし、電子機器の表面は平滑で、細工が精巧なので、直接にテーブル上に置かれると、細工が精巧な表面は擦り傷がつけられやすく、損傷されやすいことになる。なお、電子機器の表面は平滑なので、電子機器が落下することによって深刻に損壊されるおそれもある。そのため、支座によって電子機器を安定に支持する必要がある。
【０００４】
なお、潜在顧客にこのような携帯式手持電子機器の新機能を展示するため、支座によって前記電子機器を支持する必要もある。
【考案の概要】
【考案が解決しようとする課題】
【０００５】
市場で販売している支座があるが、このような支座は折り畳まれることができなく、大きい空間を占めるため、携帯することも保存することも難くなる。
【０００６】
従って、開いた状態で電子機器を支持することができ、折り畳んだ状態で保存又は携帯しやすく携帯式手持電子機器の折畳可能な支座が必要になる。
【課題を解決するための手段】
【０００７】
従来技術にある前記課題に対して、本考案の目的は、携帯式手持電子機器の折畳可能な支座を提供することにある。この支座は、上表面に凹部が形成された台座と、回転可能に前記台座に連結され且つ前記台座の上表面を覆う蓋材と、上縁が回転可能に前記蓋材に連結され且つ下縁が摺動可能に前記凹部に実装される支持材と、を備え、前記凹部は、前記蓋材が前記台座に閉合する時に前記支持材を収納するように形成されている。
【０００８】
また、突出部が前記支持材の下縁の両側から外方に延び、溝が前記台座において前記凹部を沿って前記凹部の下部に形成され、両突出部の先端間の総距離は、前記凹部の幅より少し長くされるように形成し、前記突出部は前記溝に嵌合されることが好ましい。
【０００９】
また、立設部が前記台座の前端縁に上方に立上がるように形成されることが好ましい。
【００１０】
また、ボスが前記支持材の前記蓋材に対向する表面に形成され、このボスに対応した孔が前記蓋材に形成され、前記支座が畳んだ状態で前記ボスが前記孔に受けられるように、前記ボスのサイズが前記孔のサイズより少し大きくされることが好ましい。
【図面の簡単な説明】
【００１１】
【図１】本考案の好ましい実施形態に関わる携帯式手持電子機器の折畳可能な支座の斜視図である。
【図２】図１における折畳可能な支座の側面図である。
【図３】折り畳んだ状態で本考案の折畳可能な支座の斜視図である。
【図４】図３における本考案の折畳可能な支座の底面図である。
【図５】本考案に関わる携帯式手持電子機器の折畳可能な支座の使用方法を示す説明図である。
【考案を実施するための形態】
【００１２】
以下、図面を参照して本考案の具体的な実施形態を詳細に説明する。これによって、当業者は本考案の技術、特徴、及びメリットを更に理解できるだろう。本考案の例示的な実施例及びその説明は概略的なものに過ぎず、本考案の保護しようとする技術範囲を限定するものではない。
【００１３】
図１は、本考案に関わる携帯式手持電子機器の折畳可能な支座の実施形態を示す。図１に示すように、支座１は、台座２と、回転可能に台座２に連結される蓋材３と、を備える。蓋材３は、枢軸又はヒンジ又は他のこの分野の周知方式で台座２に連結されることができる。また、蓋材３は台座２と一体に形成され、蓋材３が台座２に対して回転できるように、両者の連結部は他の部位よりも薄く形成されてもよい。
【００１４】
台座２は、それと蓋材３との間の上表面に凹部２１が形成され、支持材４は、その上縁が回転可能に蓋材３に連結され、その下縁が摺動可能に凹部２１に実装されるように構成されている。図３に示すように、凹部２１は、蓋材３が台座２に閉合した場合に支持材４全体を収納するように形成されている。凹部２１は、台座２の厚さの一部に形成されてもよいが、台座２を貫通するように形成されてもよい。
【００１５】
台座２、蓋材３、及び支持材４はプラスチック、ゴム、金属、セラミック又は他の適当な材料よりなる。 
【００１６】
図３の折り畳んだ状態から図１の構造になるために、蓋材３はまず台座２に対して回転するように開かれる。蓋材３を開くにつれ、支持材４は蓋材３に対して回転すると共に、その下縁は凹部２１内を摺動する。最終に、図１に示した構造のように、蓋材３と支持材４とは安定な三角形に構成されている。このため、図５に示すように、電子機械５は支座１に支持され、電子機器の一側が台座２に当接し、その背部が支持材４又は蓋材３に当接している。
【００１７】
また、電子機器５が台座２から滑り落ちることを回避するため、立設部２２は台座２の前端縁において上方に立上がるように形成されている。
【００１８】
図４に示すように、突出部４１は支持材４の下縁の両側から外方に延び、溝２３は台座２において凹部２１に沿って凹部２１の下部に形成されている。両突出部の先端の間の総距離は、凹部２１の幅よりも少し長くなるように形成される。これによって、突出部４１は、支持材４が凹部２１から抜けて離れないように、溝２３内に嵌合する。
【００１９】
図２に明らかに示すように、ボス４２が支持材４の蓋材３に対向する表面に形成され、対応の孔３１は蓋材３に形成されている。これによって、支座が折り畳んだ状態時にボス４２は孔３１内に受けられる。ボス４２のサイズは孔３１のサイズより少し大きくされている。これによって、ボス４２は孔３１に押し込んだ後に、支座を不注意に開くことを防止できる。
【００２０】
好ましい実施形態を参照して本考案を説明したが、本考案はこれに限定されるものではない。当業者は本考案の主旨及び範囲から逸脱しない上に、本考案に対して改良又は変更を行うことができる。
【符号の説明】
【００２１】
１  ・・・支座
２  ・・・台座
３  ・・・蓋材
４  ・・・支持材
５  ・・・電子機械
２１  ・・・凹部
２２  ・・・立設部
２３  ・・・溝
３１  ・・・孔
４１  ・・・突出部
４２  ・・・ボス
【図１】
0003166976.tif 000003
【図２】
0003166976.tif 000004
【図３】
0003166976.tif 000005
【図４】
0003166976.tif 000006
【図５】
0003166976.tif 000007